(57)【要約】【課題】  入れ子状にされたときに互いにくっつき合うことがない改良されたスライドを提供することである。【解決手段】  本発明は、ディスプレイ製品に取り付けるためのスライドであって、第１の端部及び第２の端部と第１の端部から第２の端部へ延びる縦曲がり部とを有する縦チャネルを備え、縦曲がり部は第１の曲がり部と第２の曲がり部を結合し、第１及び第２の曲がり部はそれぞれ、それらの間でディスプレイ製品のエッジを受容するように適合された内側コンフロント（対峙）面と外側面とを有し、少なくとも一の膨らみ部の第１のセットは、曲がり部のうちの一つの内側面から他の曲がり部の内側面へ突出している。【選択図】  図６Ａ
2004224046.tif 000002
【特許請求の範囲】
【請求項１】
ディスプレイ製品に取り付けるためのスライドであって、
第１の端部及び第２の端部と第１の端部から第２の端部へ延びる縦曲がり部とを有する縦チャネルを備え、縦曲がり部は第１の曲がり部と第２の曲がり部を結合し、第１及び第２の曲がり部はそれぞれ、それらの間でディスプレイ製品のエッジを受容するように適合された内側コンフロント（対峙）面と外側面とを有し、
少なくとも一の膨らみ部の第１のセットは、曲がり部のうちの一つの内側面から他の曲がり部の内側面へ突出しているところのスライド。
【請求項２】
チャネルが金属から成る請求項１に記載のスライド。
【請求項３】
第１及び第２の曲がり部の外側面が被覆されている請求項２に記載のスライド。
【請求項４】
チャネルがＶ字形に形成されている請求項１に記載のスライド。
【請求項５】
第２の曲がり部が第１の曲がり部より広い請求項１に記載のスライド。
【請求項６】
膨らみ部の第１のセットはさらに、２つの離隔した凸形膨らみ部である請求項１に記載のスライド。
【請求項７】
２つの凸形膨らみ部の第１のセットは、第１及び第２の端部から等間隔に配置している請求項６に記載のスライド。
【請求項８】
チャネル上に配置されたハンガーを備えた請求項１に記載のスライド。
【請求項９】
ハンガーがチャネル上の中央部に配置している請求項８に記載のスライド。
【請求項１０】
ハンガーが第２の曲がり部上に配置されている請求項８に記載のスライド。
【請求項１１】
ハンガーが第２の曲がり部の内側面上に配置されている請求項８に記載のスライド。
【請求項１２】
ハンガーがプラスチックから成る請求項８に記載のスライド。
【請求項１３】
ハンガーをチャネルに結合するファスナーを備え、
膨らみ部がファスナーよりも曲がり部の内側面から突出している請求項８に記載のスライド。
【請求項１４】
少なくとも一の膨らみ部の第２のセットは、曲がり部のうちの一の内側面から突出している請求項１に記載のスライド。
【請求項１５】
膨らみ部の第２のセットがチャネル上の中央部に配置している請求項１４に記載のスライド。
【請求項１６】
膨らみ部の第２のセットが、チャネルの縦方向中央部から等間隔で配置された一対の凸形膨らみ部を備えた請求項１４に記載のスライド。
【請求項１７】
膨らみ部の第１及び第２のセットはいずれも、同じ曲がり部から突出している請求項１に記載のスライド。
【請求項１８】
膨らみ部の第１のセットがチャネル上の中央部に配置している請求項１に記載のスライド。
【請求項１９】
膨らみ部の第１のセットが第２の曲がり部上に配置している請求項１に記載のスライド。
【請求項２０】
ディスプレイ製品に取り付けるためのスライドであって、
第１の端部及び第２の端部と第１の端部から第２の端部へ延びる縦曲がり部とを有する縦チャネルを備え、縦曲がり部は第１の曲がり部と第２の曲がり部とを結合し、第１及び第２の曲がり部はそれぞれ、それらの間でディスプレイ製品のエッジを受容するように適合された内側コンフロント面と外側面とを有し、
少なくとも一の膨らみ部の第１のセットは、曲がり部のうちの一つから突出しており、かつ、チャネル上の中央部に配置しているところのスライド。
【請求項２１】
膨らみ部の第１のセットは、２つの離隔した凸形膨らみ部を備えている請求項２０に記載のスライド。
【請求項２２】
膨らみ部の第１のセットは、曲がり部のうちの一つの内側面から他の曲がり部の内側面へ突出している請求項２１に記載のスライド。。
【請求項２３】
膨らみ部の第１のセットは第２の曲がり部上に配置している請求項２０に記載のスライド。
【請求項２４】
チャネル上に配置されたハンガーを備えた請求項２０に記載のスライド。
【請求項２５】
ハンガーがチャネル上の中央部に配置している請求項２４に記載のスライド。
【請求項２６】
ハンガーが第２の曲がり部上に配置されている請求項２４に記載のスライド。
【請求項２７】
ハンガーが第２の曲がり部の内側面上に配置されている請求項２４に記載のスライド。
【請求項２８】
ハンガーがプラスチックから成る請求項２４に記載のスライド。
【請求項２９】
ハンガーをチャネルに結合するファスナーを備え、
膨らみ部がファスナーよりも曲がり部の内側面から突出している請求項２４に記載のスライド。
【請求項３０】
少なくとも一の膨らみ部の第２のセットは、曲がり部のうちの一の内側面から突出している請求項２０に記載のスライド。
【請求項３１】
膨らみ部の第２のセットがそれぞれ第１及び第２のうちのひとつに近接して配置している請求項３０に記載のスライド。
【請求項３２】
ディスプレイ製品に取り付けるためのスライドにおいて、
第１の端部及び第２の端部と第１の端部から第２の端部へ延びる縦曲がり部とを有する縦方向にＶ字形状の金属チャネルを備え、縦曲がり部は第１の曲がり部とより幅広の第２の曲がり部とを結合し、第１及び第２の曲がり部はそれぞれ、それらの間でディスプレイ製品のエッジを受容するように適合された内側コンフロント面と外側面とを有し、各外側面は被覆されており；
さらに、幅広の第２の曲がり部の内側面から突出する、離隔した凸形膨らみ部の第１の対を備え、離隔した凸形膨らみ部の第１の対のそれぞれの凸形膨らみ部は端部のうちの一つに近接して配置しており；
さらに、幅広の第２の曲がり部の内側面上の縦方向の中央部に配置したハンガーを備え；
さらに、幅広の第２の曲がり部の内側面から突出する、離隔した凸形膨らみ部の第２の対を備え、離隔した凸形膨らみ部の第２の対のそれぞれの凸形膨らみ部はハンガーに近接して配置しているところのスライド。
【請求項３３】
ハンガーをチャネルに結合するファスナーを備え、
膨らみ部がファスナーよりも第２の曲がり部の内側面から突出している請求項３２に記載のスライド。
【請求項３４】
ディスプレイ製品に取り付けるためのスライドの製造方法であって：
シート金属チャネルの縦方向端部から延びる縦曲がり部を有するＶ字状チャネルへ、シート金属ストリップを縦方向に曲げ込む段階であって、縦曲がり部は第１の曲がり部とより幅広の第２の曲がり部とを結合し、第１及び第２の曲がり部はそれぞれ内側面と外側面とを有し、各外側面は被覆されているところの段階と；
曲がり部のうちの一つの内側面上に複数の離隔した膨らみ部を形成する段階と、を備えたスライドの製造方法。
【請求項３５】
幅広の第２の曲がり部の内側面の縦方向中央部上に、ファスナーによってハンガーを取り付ける段階を備え；  
膨らみ部のそれぞれは、ファスナーより各曲がり部の内側面から突出している請求項３４に記載の方法。
【請求項３６】
幅広の第２の曲がり部の内側面の縦方向中央部で、ハンガーを切断する段階を備えた請求項３４に記載の方法。
【請求項３７】
各曲がり部の外側表面にディンプルを形成し、それによって関連する内側面上に膨らみ部を形成する段階を備えた請求項３４に記載の方法。
【請求項３８】
さらに、膨らみ部の第１の対を形成する段階を備え、この対のそれぞれはチャネルの縦方向中央部に近接している請求項３４に記載の方法。
【請求項３９】
さらに、膨らみ部の第２の対を形成する段階を備え、この対のそれぞれは端部のうちの一方に近接している請求項３８に記載の方法。
【請求項４０】
スライドのマガジンであって、各スライドはディスプレイ製品に取り付けるために用いられるものであるところのスライドのマガジンにおいて：
同様に構成されかつ同様の方向を向いた複数の縦チャネルを備え、その各々は第１及び第２の端部と第１の端部から第２の端部へ延びる縦曲がり部とを有し、縦曲がり部は第１の曲がり部と幅広の第２の曲がり部とを結合し、第１及び第２の曲がり部はそれぞれ内側面と外側面とを有し、各外側面は被覆されており；
ここで、複数のチャネルは、それぞれ隣接するチャネルの第１及び第２の曲がり部の内側面に並置された第１のチャネルの第１及び第２の曲がり部の外側面と互いに入れ子状にされており；
さらに、チャネルを互いに入れ子状にされたときに、隣接するチャネルが第１のチャネルを引っ掻くのを防止する手段を備えたマガジン。
【請求項４１】
スライドがさらに、縦チャネルを吊す手段を備えた請求項４０に記載のスライドのマガジン。
【請求項４２】
スライドがさらに、縦チャネルを互いに入れ子状にしたときに、縦チャネルが他の縦チャネルにくっつくことを防止する手段を備えた請求項４０に記載のスライドのマガジン。
【請求項４３】
スライドがさらに、入れ子状の縦チャネルの非均一のスタッキングを防止する手段を備えた請求項４０に記載のスライドのマガジン。
【発明の詳細な説明】
【技術分野】
【０００１】
本発明は文書バインダーに関するものである。さらに詳細には、本発明は、カレンダー、ポスター、文書及び旗を綴じ金に取り付ける装置、及び、その方法に関するものである。
本出願は、２００２年１２月１７日に出願された米国特許出願シリアル番号１０／３２１，４１３号明細書の継続出願であって、その出願の全開示がここに参考として組み込まれている。 
【背景技術】
【０００２】
カレンダー、ポスター、文書及び旗その他の壁掛けのマージンを閉じるスライドが従来公知である。従来技術のスライドを図１−図４に示す。このようなスライド１は一般に、ほぼＶ字のシート状金属の細長ストリップである。シート状金属の細長Ｖ字ストリップの頂点２は、Ｖ字ストリップの２つのスライド若しくは脚部３，４を分離する。典型的には、Ｖ字ストリップの一の側部若しくは脚部３は短く若しくは狭く、他の側部若しくは脚部４は長く若しくは広い。スライド１は一般的に、図１に示したようなＶ字シート状金属に結合された独立片（ピース）、又は、図２に示したようなＶ字シート状金属の一部であるハンガー５を含んでいる。図１に示したようなハンガー５は典型的にはプラスチックから成り、金属ストリップのほぼ長軸（縦）方向の中心に、一又は二以上のシート状金属バー若しくはリベット６によって、スタックされ若しくは取り付けられている。シート状金属のＶ字ストリップは、カレンダーのマージン上に織り込んで若しくはクランプすることによってカレンダーに取り付けられている。ハンガー５を用いて、所望の位置例えば、壁にカレンダーを吊し、掲げることができる。掲げたときに見えるスライドの表面はしばしば、酸化を防止するため及び審美目的でペイントされる。スライドの例は米国特許第１，９０６，２０４号明細書；米国特許第２，０４２，９１２号明細書；米国特許第６，０４２，３１９号明細書に示されている。これらの明細書はここに参考として組み込まれている。
【０００３】
従来技術は、米国特許第２，０４２，９１２号明細書に示されているように、Ｖ字シート状金属ストリップの長め、幅広の方の側部若しくは脚部４において、２つのギザギザを含むスライドの古いバージョンを開示している。この特許に開示されているスライドにおけるつのギザギザは、脚部３から外方へ突出し、スライドの端部に近接している。
【０００４】
これら従来のスライドには多くの問題がある。第１に、スライドは、互いにきつくスタックされ若しくは入れ子状に重ねられたときに互いにくっついてしまう傾向がある。これは、結合若しくは取り付け装置を用いてカレンダー上にスライドを取り付けるときに特に問題である。
【０００５】
伝統的には、オペレータは手動で、スライドをカレンダーのマージンに取り付け、又は、取り付け装置を用いて一度に一のスライドを取り付けていた。従って、くっついてしまったスライドはやっかいであり、分離するのに時間がかかり、オペレータは問題が発生すると、スライドを分離することになる。しかしながら、近年、互いに入れ子状に重ねられる一束のスライドを保持するマガジン若しくはホッパーを備えた新しい結合若しくは取り付け装置が開発された。従って、スライドがくっつくと、それらを、マガジン若しくはホッパーから供給するのがより困難になるだけでなく、取り付け部に供給される複数のくっついたスライドが増大しやすく、装置が動かなくなったり、故障する。
【０００６】
従来のスライドの他の問題は、図３に示したように、スライドがスタックされ若しくは入れ子にされたときに、取り付けられたハンガー５及び係わるリベット若しくはバー６は支点として作用し、スタックが大きくなると、スライドの一の端部が揺れたり、曲がったりする。この一様（画一）性の欠如は、スライドを船積み若しくは格納するために要するスペースを増大し得る。さらに、スライドが揺れ、曲がり、折れ曲がると、結合若しくは取り付け装置のマガジン若しくはホッパーの容量が減少する。取り付け装置のマガジンの容量が減少することは、さらに頻繁に補充し、結合操作の全体の効率及び生産性を減少することになる。
【０００７】
また、図１及び図４に示したスライドが取り付け装置のマガジンにおいてスタックされ若しくは入れ子状に重ねられ、又は、船積み若しくは格納する場合に、粗い角を有することが多い突出したギザギザ、湾曲部、バー若しくはリベット６は隣接するスライドのペンキされた外部を削ることなり得、かなり痕が付き、所望の最終製品又は品質コントロール基準のために廃棄しなければならない製品のいずれかよりも質がおちることになる。例えば、従来技術である'９１２号特許に示されているように、長軸方向の端部の近傍に凹みが配置すると、スライドは平均的にたわみ、曲がり若しくはかがみ易い。これはスライドの非均一なスタックを形成する望まない効果を有し、これによって、取り付け装置のマガジンの容量が減少し、マガジンからスライドを供給するのがより困難となり、供給不調の可能性が高くある。さらに、長軸方向の中心がたわみ、曲がり若しくはかがむとき、バー若しくはリベットとって、２番目の幅広曲がり部のペイントされ若しくは被覆された外部に接触し、そして削り若しくはキズつける可能性が高くなる。ディスプレイされたときの、スライドの特に見える中心でのこのような削り若しくはキズ付けによって、品質コントロール基準（標準）に基づいて、スライドを廃棄し、又は、低価格での販売が必要となる。
【０００８】
さらに、凹みを有するスライドを結合若しくは取り付け装置で使用するとき、結合装置のクリンプバーは凹みのペインとされた突出表面へ直接動いてこの突出部からペイントを削り、除去しやすい。
【発明の開示】
【発明が解決しようとする課題】
【０００９】
従って、入れ子状のときに互いにくっつき合うことがない改良されたスライドを提供することが本発明の目的である。
【００１０】
結合若しくは取り付け装置のマガジンの容量を最大にする改良されたスライドを提供することが本発明の他の目的である。
【００１１】
スライドがスタックされ、入れ子状態にされ又は取り付け装置において使用されるときにひっかき若しくはキズをつける可能性が低減された改良されたスライドを提供することが本発明の他の目的である。
【課題を解決するための手段】
【００１２】
本発明のこれらの目的及び他の目的は改良されたスライドで達成される。さらに詳細には、本発明のいくつかの実施形態では、スライドの長軸方向の端部の近傍及び／又はスライドの長軸方向の中心の近傍に凸型の膨らみ部が配置される。これらの凸型膨らみ部は隣接するスライド間に空気ギャップを提供し、これによって、くっつき合う多重の入れ子状態のスライドとなる可能性を低減する。多重の凸型の膨らみ部は、取り付け装置のマガジンにおいて、又は、船積み若しくは格納するときにスライドのスタッキングを均一にするように作用する。さらに、凸型膨らみ部は、ハンガーの突出リベット若しくはギザギザの間にバッファを提供するものである。
【発明を実施するための最良の形態】
【００１３】
本発明の目的及び特徴は、図面を参照して以下の詳細な説明からより容易に明らかになるだろう。
【００１４】
本発明のスライド１０の好適な実施形態を図５から図１１に示す。本発明をカレンダースライド１０として記載するが、スライド１０は、ポスター、文書、壁掛け等１２の所望のディスプレイ製品を結合して吊し、又はディスプレイするために用いられるものであってもよい。
【００１５】
カレンダースライド１０は典型的にはシート金属のストリップから成り、同様の特徴を有する他の物質を用いてもよい。使用される典型的なシート金属は、約0.0062インチの厚さの冷間圧延された軟シートプレートである；しかしながら、他の種類及び／又はサイズの金属を用いてもよい。シート金属を曲げて縦方向（縦）曲がり部１４を形成し、シート金属ストリップからほぼＶ字形状チャネルを形成する。シート金属チャネルにおける縦曲がり部１４は、第１の曲がり部若しくは脚部１６とより幅広の第２の曲がり部若しくは脚部１８を分離する。一の実施形態では、第１の曲がり部１６の幅は約0.150インチであり、第２の幅広の曲がり部１８の幅は約0.660インチである。これらの相対的な寸法は、典型的若しくは通常の用途のときであるが、通常的でないほど大きく若しくは重いカレンダー又は他のディスプレイ製品１２のような特別の用途に対して比例して若しくは非比例的に変わり得る。同様に、スライド１０は通常、異なるサイズの曲がり部若しくは脚部１６、１８を有するが、他方、ほぼ同じサイズの曲がり部若しくは脚部１６、１８を有するスライドはユニークな用途、例えば、厚めの設置スライド１０が必要なところ又は折り曲げられたシート金属は好適には、設置されるときにカレンダ若しくは他のディスプレイ製品１２における折り曲げ部に接触するところに使用してもよい。第１の曲がり部１６と幅広の第２の曲がり部１８との間の角度∝はほぼ30度であり、特定の用途では始めの角度はそれより大きい又は小さい角度であってもよい。曲がり部１６，１８はそれぞれ、内側面２０，２２、及び、外側面２４，２６を有する。各曲がり部１６，１８の外側面２４，２６は通常、例えば、ペイントで被覆され、酸化を防止し及び／又は所望の審美的効果を実現している。
【００１６】
図５及び図５Ａで示した一の実施形態では、ハンガー、タブ若しくは小さい小穴２８を、金属のギザギザ、リベット、のり又は他の適当なファスナー３０によって幅広の第２の曲がり部１８の内側面２２の長手（縦）方向の中心に取り付けている。通常一つしかないハンガー２８を用い、それが中間に配置するのが望ましいが、２つ又は３つ以上のハンガー２８を使用するときは、それらをスライド１０上に比例して離間するのが好ましい。さらに、ハンガー２８は、所望ならば、スライド１０の他の部分例えば、幅広の第２の曲がり部１８の外側面２６に取り付けることができる。図８及び図８Ａに示した他の代替の実施形態では、ハンガー３２を幅広の第２の曲がり部１８の切り抜き又は打ち抜く。
【００１７】
さらに、図５及び図８の実施形態において示されたように、一対の離隔した凸型膨らみ部３４、３６が、一般的に、幅広の第２の曲がり部１８の内側面２２から第１の曲がり部１６の方へほぼ0.0200インチの高さまで持ち上がっている。凸型膨らみ部３４、３６は、ハンガー２８の厚さ及び／又はザギザ、リベット又は他の適当なファスナー３０の厚さの観点で調整可能である。これらの凸型膨らみ部３４、３６は第２の曲がり部１８の内側面２２上にほぼ側方方向の中心に配置し、さらに、スライド１０の各長手方向端部３８，４０の比較的近傍に、又はそれらからほぼ等しい距離に配置する。
【００１８】
図５及び図８の実施形態では、第２の対の凸型膨らみ部４２，４４も、幅広の第２の曲がり部１８の内側面２２から第１の曲がり部１６の方へ持ち上がっている。これらの凸型膨らみ部４２，４４は典型的には、スライド１０の中心近傍に、及び、ハンガー２８，３２の反対側の端部４６，４８からほぼ等しい距離に配置する。長手方向に短いスライド１０について又は他の場合においては、本明細書に記載した目的を達成するために、他の配置の膨らみ部を要することが可能である。逆に、長手方向に長いスライド１０について又は他の場合においては、本明細書に記載した目的を達成するために、４個以上の離隔した膨らみ部を要することが可能である。
【００１９】
図５Ａ及び図８Ａに、本発明のスライド１０，１０ａの他の代替の実施形態を示す。これらのスライド１０，１０ａは長手方向端部３８，４０に最近接の膨らみ部３４，３６を有しないが、スライド１０，１０ａ上の中心には位置した膨らみ部４２，４４は含まない。さらに、膨らみ部４２，４４を凸部として示すが、これらを凹部若しくは他の形状／配置にするのは容易である。
【００２０】
本明細書に記載し、開示し、クレームしたカレンダースライド１０，１０ａは、シート金属ストリップの縦方向端部３８，４０から延びる縦方向曲がり部１４を有するほぼＶ字形状組立片へシート金属ストリップを縦方向に曲げ込むことによって作製することができる。シート金属ストリップの曲がりによって、第１の曲がり部１６とより幅広の第２の曲がり部とを形成する。シート金属ストリップは通常のようにプレペイントし又は被覆されているが、そうでない場合には、シート金属ストリップの少なくとも外側面２４，２６をペイント若しくは被覆する追加の段階を実施してもよい。さらに、発明に係るスライド１０，１０Ａを作製する方法はさらに、曲がり部１６，１８のうちの少なくとも一の内側面２０，２２上に複数の離隔された膨らみ部を形成することによって実施する。これを実現する方法のうちの一つは、幅広の第２の曲がり部１８の外側面２６上に一又は二以上の離間した凹形窪みを押印し、それによって幅広の第２の曲がり部１８の内側面２２上に離隔された凹形膨らみ部３４，３６，４２，４４を形成することである。ハンガー２８を所望する場合は、プロセスにファスナー３０によって、幅広の第２の曲がり部１８の内側面２２のほぼ縦（長手）方向の中心にハンガー１８を取り付ける段階を含む。代替として、スライド１０を作製する段階は、幅広の第２の曲がり部１８のほぼ縦（長手）方向の中心にハンガー３２を切断若しくは刻印する段階を含むことができる。
【００２１】
膨らみ部３４，３６，４２，４４はそれぞれで若しくは併せて、多くの重要な機能を果たす。まず、これらは、図１０で示したように、スライド１０，１０ａが、互いに入れ子状であるときに互いにくっついてしまうのを防止する。第２に、離間した凸形膨らみ部３４，３６，４２，４４によって、スライド１０が、図７及び図１１に示したように、結合若しくは取り付け装置マガジンにおいて一様に並ぶ。マガジン若しくはホッパーにおいてスライド１０，１０ａの一様なスタックはマガジンのスライド１０，１０ａ容量を増大し、取り付け装置での引っかかりを生じさせ得るスライドの供給し損ないを低減する。同様に、スライド１０，１０ａの一様なスタックはスライド１０，１０ａのより効率的な格納及び輸送を促進する。スライド１０，１０ａ当たりのスペースを少なくなるからである。最後に、離間した凸形膨らみ部３４，３６，４２，４４は、スライド１０が互いに入れ子状若しくはスタックしたときに、バー若しくはリベット３０の粗いエッジが隣接するスライド１０を引っ掻く若しくは結合してしまうのを防止する。これによって、最終製品の全体の質を改善し、不良品の出費を節約できる。
【００２２】
さらに、離間した凸形膨らみ部３４，３６，４２，４４は、従来技術すなわち米国特許第２，０４２，９１２号明細書で示された一対の凹型へこみ（欠刻）に対して大きな利点を提供するものである。第１に、’９１２特許に示されているようなすらいどの各側方向端部の近傍に配置する一対の凹型へこみは通常、スライド１０の均一でないスタッキングを防止するには適していない。例えば、’９１２特許に示したように、凹型へこみを、スライド１０の縦方向端部３８，４０の近傍に配置すれば、スライド１０は中央部（中間部）でたるみ、曲がり若しくはお辞儀をし易い。これは、スライドの非均一スタックを形成するという望ましくない効果を有し、このため、取り付け装置マガジンの容量が減少し、マガジンからスライドを供給する困難を増大し、供給異常の可能性が増大する。さらに、縦方向の中心がたるみ、曲がり若しくはお辞儀するとき、バー若しくはリベット３０について、第２の幅広曲がり部１８のペイントされ若しくは被覆された外部２６に接触しかつ引っかかれ（スクラッチされ）若しくは損傷し易くなる。ディスプレイするときの、特に可視中心での、スライド１０のこのようなスクラッチ若しくは損傷は、品質コントロール標準に基づいて、スライド１０を処分されたり、又は、より低い価格で販売される必要が生じる。
【００２３】
さらに、凹型へこみを有するスライドを結合若しくは取り付け装置で使用するとき、結合装置の圧着（crimp）バーは凹型へこみのペイントされた突出面で直に動き、このような突出部からペイントを引っ掻き若しくは除去し易い。対照的に、離隔された凸形膨らみ部３４，３６，４２，４４、及び、凹んでいないペイントされた外部面２６はの使用は、結合若しくは取り付け装置の圧着バーによって損傷し若しくは引っ掻かれ易くはない。さらに、第２の幅広曲がり部１８において離間した凸形膨らみ部３４，３６，４２，４４はよって形成された外部ペイント面２６において、凹み若しくはディンプルは、滑らかな外部面２６上の一対のバンプ若しくはこぶより美観においてより望ましい。最後に、吊り下げられる物、すなわち、カレンダー紙、ポスターボード等に接触する離間した凸形膨らみ部３４，３６，４２，４４の突出（突起）は、スライド１０，１０ａに取り付けられ、ディスプレイされる物１２を掴み、保持し、固定するために、スライド１０，１０ａの能力を増大するさらなる利点を提供する。
【００２４】
離間した凸形膨らみ部３４，３６，４２，４４は重要な機能を示すが、本発明から逸脱することなく、他の適した手段が膨らみ部の代わりに又はそれに沿って使用されることは当業者には明らかである。例えば、凸形及び凹形膨らみ部の組合せ、異なるチャネル材料の使用、保護コーティング（被覆）、又は、紙ストリップ、フォーム若しくはカードボード等の使い捨てセパレータによって、チャネルが互いに入れ子状のときに、隣接チャネルが互いに引っ掻くことになるのを防止でき、入れ子のときにチャネルが互いにくっつくのを防止することができ、入れ子にされた縦（方向）チャネルの不均一スタッキングが防止できる。
【００２５】
本発明の主要原理及び少なくとも一の好適な実施形態の前述の詳細な説明のこれまでの開示から、当業者であれば、本発明が可能な種々の変形を容易に把握するだろう。従って、本発明は、特許請求の範囲及びそれに均等な物によって限定される。
【図面の簡単な説明】
【００２６】
【図１】第１の従来のカレンダースライドの斜視図である。
【図２】第２の従来のカレンダースライドの斜視図である。
【図３】カレンダースライドをファンアウトする支点（支柱）として作用するハンガー及びリベットを有する図１の複数のカレンダースライドの正面図である。
【図４】リベットに結合されたハンガーを有する図１に示したような、従来のカレンダースライドの端面図である。
【図５】カレンダー若しくは他のディスプレイ製品上にとりつける前の、本発明のスライドの第１の好適な実施形態の斜視図である。
【図５Ａ】本発明の他の好適な実施形態の図５と同様な図である。
【図６】図５のスライドの端面図である。
【図６Ａ】入れ子状にされた図６の２つのスライドの拡大断面図である。
【図７】互いの頂部上にスタックされた本発明の複数のスライドの正面である。
【図８】本発明のスライドの他の実施形態の斜視図である。
【図８Ａ】本発明の他の実施形態の図８と同様な図である。
【図９】図８のスライドの端面図である。
【図１０】互いの上に入れ子状にスタックされた図８及び図９のスライドの端面図である。
【図１１】図１０のライン１１−１１上にとられたカレンダースライドの正面図である。
【符号の説明】
【００２７】
１０  カレンダースライド
１０ａ  スライド
１２  ディスプレイ製品
１４  縦曲がり部
２０，２２  内側面
２４，２６  外側面
２８  ハンガー
３０  ファスナー
３２  ハンガー  
３４、３６  凸型膨らみ部
３８，４０  縦方向端部
４２，４４  凸型膨らみ部
【図１】
2004224046.tif 000003
【図２】
2004224046.tif 000004
【図３】
2004224046.tif 000005
【図４】
2004224046.tif 000006
【図５】
2004224046.tif 000007
【図５Ａ】
2004224046.tif 000008
【図６】
2004224046.tif 000009
【図６Ａ】
2004224046.tif 000010
【図７】
2004224046.tif 000011
【図８】
2004224046.tif 000012
【図８Ａ】
2004224046.tif 000013
【図９】
2004224046.tif 000014
【図１０】
2004224046.tif 000015
【図１１】
2004224046.tif 000016
【外国語明細書】
2004224046.tif 000017
2004224046.tif 000018
2004224046.tif 000019
2004224046.tif 000020
2004224046.tif 000021
2004224046.tif 000022
2004224046.tif 000023
2004224046.tif 000024
2004224046.tif 000025
2004224046.tif 000026
2004224046.tif 000027
2004224046.tif 000028
2004224046.tif 000029
2004224046.tif 000030
2004224046.tif 000031
2004224046.tif 000032
2004224046.tif 000033
2004224046.tif 000034
2004224046.tif 000035
2004224046.tif 000036
2004224046.tif 000037
2004224046.tif 000038
2004224046.tif 000039
2004224046.tif 000040
2004224046.tif 000041
2004224046.tif 000042
2004224046.tif 000043
2004224046.tif 000044